(57)【要約】      （修正有）【課題】ネットワーク給電システム全体の小型化と軽量化を実現しながらネットワークに電力を供給できるネットワーク給電装置及びシステムを提供する。【解決手段】一対のコンデンサ１２１、１２１´とこれらのコンデンサを接続する電力変圧器１２２、１２２´を有する少なくとも１つの接続モジュール１２、１２´を備えたネットワーク給電装置１であって、ネットワーク給電装置は、給電側機器又は受電側機器のいずれかに接続して用いられ、ネットワーク給電装置が給電側機器に用いられた場合には、電力変圧器は、受電側機器がネットワーク信号と直流電力の両方を受信できるように、給電側機器の直流電力をネットワーク信号に重畳させて電力ネットワーク信号を生成し、ネットワーク給電装置が受電側機器に用いられた場合には、接続モジュールの電力変圧器は、給電側機器から入力される電力ネットワーク信号のうち直流電力を抽出すると共にネットワーク信号を通過させるように設けられる。【選択図】図３
0003205149.tif 000002
【実用新案登録請求の範囲】
【請求項１】
一対のコンデンサとこれらのコンデンサを接続する電力変圧器を有する少なくとも１つの接続モジュールを備えたネットワーク給電装置であって、
前記ネットワーク給電装置は、給電側機器又は受電側機器のいずれかに接続して用いられ、
前記ネットワーク給電装置が前記給電側機器に用いられた場合には、
前記接続モジュールの前記コンデンサはネットワーク信号を受信するように設けられ、
前記接続モジュールの前記電力変圧器は、前記受電側機器が前記ネットワーク信号と直流電力の両方を受信できるように、前記給電側機器の直流電力を前記ネットワーク信号に重畳させて電力ネットワーク信号を生成し、
前記ネットワーク給電装置が前記受電側機器に用いられた場合には、
前記接続モジュールの前記電力変圧器は、前記給電側機器から入力される前記電力ネットワーク信号のうち前記直流電力を抽出すると共に前記ネットワーク信号を通過させるように設けられ、
前記接続モジュールの前記コンデンサは前記ネットワーク信号のうち直流成分をカットするように設けられている、
ことを特徴とするネットワーク給電装置。
【請求項２】
前記ネットワーク給電装置が前記給電側機器に用いられた場合には、  
前記コンデンサの第１の端子は前記ネットワーク信号を出力するネットワーク信号生成装置に電気的に接続されており、
前記コンデンサの第２の端子は前記電力変圧器に電気的に接続されている、
ことを特徴とする請求項１に記載のネットワーク給電装置。
【請求項３】
前記給電側機器は前記直流電力を生成する電力供給装置を含むものであって、
前記ネットワーク給電装置が前記給電側機器に用いられた場合には、
前記電力変圧器は、前記ネットワーク信号に直流バイアスをかけるように前記電力供給装置が生成する前記直流電力を前記ネットワーク信号に重畳して前記電力ネットワーク信号を生成するように設けられている、
ことを特徴とする請求項１又は２に記載のネットワーク給電装置。
【請求項４】
前記ネットワーク給電装置が前記受電側機器に用いられた場合には、前記電力変圧器は、直流電力をキャプチャして前記受電側機器に提供する電力キャプチャ装置に電気的に接続されている、
ことを特徴とする請求項１に記載のネットワーク給電装置。
【請求項５】
前記ネットワーク給電装置が前記受電側機器に用いられた場合には、
前記コンデンサの第２の端子は前記電力変圧器に電気的に接続されており、
前記コンデンサの第１の端子は前記ネットワーク信号を受信するネットワーク受信装置に電気的に接続されている、
ことを特徴とする請求項１又は４に記載のネットワーク給電装置。
【請求項６】
前記電力変圧器は単巻変圧器であることを特徴とする請求項１乃至５のいずれか１項に記載のネットワーク給電装置。
【請求項７】
給電側機器と受電側機器を使用するためのネットワーク給電システムであって、第１のネットワーク給電装置と、第２のネットワーク給電装置を含み、
前記第１のネットワーク給電装置は前記給電側機器に電気的に接続された送信側接続モジュールを含み、前記送信側接続モジュールは、一対のコンデンサとこれらのコンデンサを接続する電力変圧器を有し、
前記第２のネットワーク給電装置は前記受電側機器に電気的に接続された受信側接続モジュールを含み、前記受信側接続モジュールは、一対のコンデンサとこれらのコンデンサを接続する電力変圧器を有し、
前記送信側接続モジュールの前記コンデンサは前記給電側機器からネットワーク信号を受信するように設けられ、
前記送信側接続モジュールの前記電力変圧器は、前記第２のネットワーク給電装置が前記ネットワーク信号と直流電力の両方を受信できるように、前記給電側機器の直流電力を前記ネットワーク信号に重畳させて電力ネットワーク信号を生成し、
前記受信側接続モジュールの前記電力変圧器は、前記第１のネットワーク給電装置から入力される前記電力ネットワーク信号のうち前記直流電力を抽出すると共に前記ネットワーク信号を通過させるように設けられ、
前記受信側接続モジュールの前記コンデンサは前記ネットワーク信号のうち直流成分をカットするように設けられている、
ことを特徴とするネットワーク給電システム。
【請求項８】
前記給電側機器は前記ネットワーク信号を生成するネットワーク信号生成装置を備え、
前記送信側接続モジュールの前記コンデンサの第１の端子は前記ネットワーク信号生成装置に電気的に接続されており、
前記送信側接続モジュールの前記コンデンサの第２の端子は前記電力変圧器に電気的に接続されている、
ことを特徴とする請求項７に記載のネットワーク給電システム。
【請求項９】
前記給電側機器は直流電力を生成する電力供給装置を備え、
前記送信側接続モジュールの前記電力変圧器は、前記直流電力を受信するように前記電力供給装置に接続されており、
前記電力変圧器は、前記ネットワーク信号に直流バイアスをかけるように前記電力供給装置が生成する前記直流電力を前記ネットワーク信号に重畳して前記電力ネットワーク信号を生成するように設けられている、
ことを特徴とする請求項７又は８に記載のネットワーク給電システム。
【請求項１０】
前記受電側機器は直流電力をキャプチャする電力キャプチャ装置を備え、
前記受信側接続モジュールの前記電力変圧器は、抽出した前記直流電力を前記電力キャプチャ装置に提供するよう前記電力キャプチャ装置に接続されている、
ことを特徴とする請求項７乃至９のいずれか１項に記載のネットワーク給電システム。
【請求項１１】
前記受電側機器は前記ネットワーク信号を受信するネットワーク受信装置を備え、
前記受信側接続モジュールの前記コンデンサの第２の端子は前記受信側電力変圧器に電気的に接続されており、
前記受信側接続モジュールの前記コンデンサの第１の端子は前記ネットワーク信号を受信する前記ネットワーク受信装置に電気的に接続されている
ことを特徴とする請求項７に記載のネットワーク給電システム。
【請求項１２】
前記第１のネットワーク給電装置の前記電力変圧器と前記第２のネットワーク給電装置の前記電力変圧器はそれぞれ単巻変圧器である
ことを特徴とする請求項７乃至１１のいずれか１項に記載のネットワーク給電システム。
【考案の詳細な説明】
【技術分野】
【０００１】
本考案は、ネットワーク給電装置及びシステムに関し、特にパワー・オーバー・イーサネット（Ｐｏｗｅｒ  ｏｖｅｒ  Ｅｔｈｅｒｎｅｔ  、ＰｏＥ）に用いられるネットワーク給電装置及びシステムに関する。
【背景技術】
【０００２】
一般に、パワー・オーバー・イーサネットは、従来のイーサネット（登録商標）・ネットワーク・アーキテクチャの下で、給電側の機器（例えばネットワーク交換機）がネットワーク伝送線（例えばＲＪ４５コネクタを有する伝送線）を介して、電力をネットワークデータと共に受電側の機器（例えば無線ルータ、ウェブカメラ若しくはインターネット電話）に伝送するが、このようにすることにより、受電側の機器は新たに機器を電源プラグに接続したり電池を準備したりする必要がなくなるため利便性が向上する。
【考案の概要】
【考案が解決しようとする課題】
【０００３】
ところで、従来のパワー・オーバー・イーサネットのアーキテクチャにおいては、主にネットワーク変圧器により電力をネットワークデータと共に伝送するものである。
【０００４】
しかし、パワー・オーバー・イーサネットの受電側として用いられる機器は、日に日に多機能化されているため、これに伴い受電側機器を動作させるための電力も増加している。このため、旧式のネットワーク変圧器では現在の受電側機器が必要とする電力を提供できない場合がある。
【０００５】
また、ネットワーク変圧器の鉄心の体積を単純に増加させて、鉄心に巻きつける銅線の直径を増加させると、ネットワーク変圧器の伝送効率は高まるが、ネットワーク変圧器の体積と重量が大幅に増加してしまうため、給電側機器と受電側機器を小型化・軽量化することが難しく、とりわけ近年のように電気製品の小型化と軽量化が求められるようになると、設計上の問題が生ずる場合がある。
【０００６】
本考案は、上記問題に鑑みてなされたものであり、小型化と軽量化を実現しながら電力を伝送できるネットワーク給電装置及びシステムを提供することを目的とする。
【課題を解決するための手段】
【０００７】
上述した問題を解決するため、本願考案は以下の構成を備える。
【０００８】
一対のコンデンサとこれらのコンデンサを接続する電力変圧器を有する少なくとも１つの接続モジュールを備えたネットワーク給電装置であって、前記ネットワーク給電装置は、給電側機器又は受電側機器のいずれかに接続して用いられ、前記ネットワーク給電装置が前記給電側機器に用いられた場合には、前記接続モジュールの前記コンデンサはネットワーク信号を受信するように設けられ、前記電力変圧器は、前記受電側機器が前記ネットワーク信号と直流電力の両方を受信できるように、前記給電側機器の直流電力を前記ネットワーク信号に重畳させて電力ネットワーク信号を生成し、前記ネットワーク給電装置が前記受電側機器に用いられた場合には、前記接続モジュールの前記電力変圧器は、前記給電側機器から入力される前記電力ネットワーク信号のうち前記直流電力を抽出すると共に前記ネットワーク信号を通過させるように設けられ、前記接続モジュールの前記コンデンサは前記ネットワーク信号のうち直流成分をカットするように設けられる。
【考案の効果】
【０００９】
本考案に係るネットワーク給電装置及びシステムによれば、コンデンサによって直流電力を遮り、電力変圧器を更に接続することにより電力を伝送するので、ネットワーク給電システム全体の小型化と軽量化を実現しながらネットワークに電力を供給できる。
【図面の簡単な説明】
【００１０】
【図１】本考案のネットワーク給電装置の一実施例を示す断面図である。
【図２】本考案のネットワーク給電装置を２つ用いたネットワーク給電システムの一実施例を示すブロック図である。
【図３】ネットワーク給電システムの一実施例の説明図である。
【考案を実施するための形態】
【００１１】
図１〜図３を参照して、本考案のネットワーク給電装置及びシステムの一実施例を説明する。ここで、図１は本考案のネットワーク給電装置の一実施例を示す断面図である。図１を参照すると、ネットワーク給電装置１はケースモジュール１１と、接続モジュール１２とを備える。ケースモジュール１１は、シェル１１１と、このシェル１１１によって形成される収容室１１２と、収容室１１２に面するシェル１１１の底面に設けられた回路基板１１３を備える。
【００１２】
また、シェル１１１の底面には、複数のピン１１４（図１では４本）が、それぞれ一端が収容室１１２に設けられ、他端がケースモジュール１１から突出するよう、回路基板１１３とシェル１１１の底面を貫通するように延伸されている。このため、ピン１１４により回路基板１１３はシェル１１１の底面に固定される。シェル１１１の上記底面に対向する上面の略中央には、ソケット１１５が外部から挿入されて嵌合するように設けられる。また、ピン１１４とソケット１１５はいずれも導線（図示せず）によって回路基板１１３に接続されている。
【００１３】
図２は本考案のネットワーク給電システムの一実施例を示すブロック図である。図２において、本考案のネットワーク給電システムは、給電側機器（Ｐｏｗｅｒ  Ｓｏｕｒｃｅ  Ｅｑｕｉｐｍｅｎｔ、ＰＳＥ）８００と受電側機器（Ｐｏｗｅｒｅｄ  Ｄｅｖｉｃｅ、ＰＤ）９００を備える。
【００１４】
給電側機器８００は、ネットワーク信号生成装置８０１と、電力供給装置８０２と、ネットワーク給電装置１を備える。ネットワーク信号生成装置８０１はネットワーク信号を生成する。電力供給装置８０２は直流電力を出力する。なお、給電側機器８００はネットワーク交換機でも差し支えない。
【００１５】
受電側機器９００は、ネットワーク受信装置９０１と、電力キャプチャ装置９０２と、ネットワーク給電装置２を備える。ここで、受電側機器９００は無線ルータ、ウェブカメラ若しくはインターネット電話等であるが、これらに限られない。更に、給電側機器８００と受電側機器９００の間は例えばＲＪ４５コネクタ付きのネットワーク線（図示せず）により接続されている。
【００１６】
給電側機器８００に設けられたネットワーク給電装置１には、電力供給装置８０２が生成する直流電力が入力されると共に、ネットワーク信号生成装置８０１が生成したネットワーク信号が入力され、これらによって電力ネットワーク信号を生成する。
【００１７】
受電側機器９００に設けられたネットワーク給電装置２は、電力ネットワーク信号の直流電力を抽出すると共に、残りの信号をネットワーク信号として出力する。また、このネットワーク信号はネットワーク受信装置９０１に出力される。更に、ネットワーク給電装置２で抽出された直流電力は電力キャプチャ装置９０２に入力される。
【００１８】
図３は２つのネットワーク給電装置１、２を用いたネットワーク給電システムの実施例の説明図である。ネットワーク給電装置１（給電側機器８００に用いられる場合）は２つの接続モジュール１２、１２´を備え、そのうちの１つの接続モジュール１２は送信側接続モジュールとして、また他の１つの接続モジュール１２´は受信側接続モジュールとして動作する。
【００１９】
接続モジュール１２、１２´は回路基板１１３に装着されており、それぞれ直流成分を分離するための２つのコンデンサ１２１、１２１´を備える。
【００２０】
また、電力変圧器１２２、１２２´は、各接続モジュール１２、１２´が備えるこれらコンデンサ１２１、１２１´の一端（第２の端子１２４）同士を接続する。また、コンデンサ１２１、１２１´は、一端がネットワーク信号生成装置８０１（図２を参照）に接続される第１の端子１２３、１２３´と、この第１の端子１２３、１２３´と結合された上述の第２の端子１２４、１２４´とを備える。
【００２１】
また、電力変圧器１２２、１２２´は、ネットワーク信号に直流バイアスをかけるように電力供給装置８０２が生成する直流電力をネットワーク信号に重畳して電力ネットワーク信号を生成する。また、コンデンサ１２１、１２１´は、ネットワーク信号を伝送すると共に、第１の端子１２３と、第２の端子１２４の間の容量結合によってネットワーク信号の直流成分をカットする。なお、コンデンサ１２１、１２１´の容量は約１００ｎＦ±１０％が好ましいが、これには限られない。
【００２２】
電力変圧器１２２、１２２´は、コンデンサ１２１、１２１´の第２の端子１２４、１２４´同士を接続し、電力供給装置８０２（図３においては図示を省略しているが、実際には電力変圧器１２２、１２２´に直流電力を出力する図２に記載した電力供給装置８０２が接続されている。）が生成する直流電力をネットワーク信号と重畳して電力ネットワーク信号を生成することができる。ここで、電力変圧器１２２は単巻変圧器であるが、これには限られず、鉄心とコイルによって形成されれば足りる。
【００２３】
本実施例において、上述のように接続モジュール１２はトランスミッター回路（Ｔｒａｎｓｍｉｔｔｅｒ  Ｃｉｒｃｕｉｔ）として動作し、接続モジュール１２´はレシーバー回路（Ｒｅｃｅｉｖｅｒ  Ｃｉｒｃｕｉｔ）として動作することができるが、勿論逆でも差し支えない。
【００２４】
なお、接続モジュール１２、１２´、並びにこれらを構成するコンデンサ１２１、１２１´及び電力変圧器１２２、１２２´はいずれか１つでも差し支えない。ただし、トランスミッター回路として動作させる場合と、レシーバー回路として動作させる場合のいずれでも最適な動作状態を提供するため、コンデンサの容量を異ならせ巻線比を変える等して本実施例のように、接続モジュール１２、１２´の２系統を用意し、接続モジュール１２、１２´のいずれか一方をトランスミッター回路として用い、他方をレシーバー回路として用いても良い。
【００２５】
まず、トランスミッター回路としての接続モジュール１２を説明すると、接続モジュール１２のコンデンサ１２１はネットワーク信号生成装置８０１（図２）が生成したネットワーク信号を受信して、第２の端子１２４を介して出力する。
【００２６】
接続モジュール１２の電力変圧器１２２は、電力供給装置８０２が生成する直流電力をネットワーク信号に結合（重畳）することにより、受電側機器９００が使用する電力ネットワーク信号を生成して受電側機器９００に伝送することができる。また、コンデンサ１２１の第１の端子１２３と第２の端子１２４が容量結合しているので、コンデンサ１２１を通過する信号は直流成分がカットされたものとなる。
【００２７】
次に、図３のネットワーク給電装置２（受電側機器９００に用いられる場合）を説明する。ネットワーク給電装置２は、図１のケースモジュール１１と同様にケースモジュール（図示せず）を備え、ケースモジュールには２つの接続モジュール２２、２２´が設けられる。
【００２８】
なお、ネットワーク給電装置２のケースモジュールはネットワーク給電装置１のケースモジュール１１の構造と同様（図１を参照）なので、詳細な説明は割愛するが、これに限られるものではなく、図１で説明したケースモジュール１１と異なる構造のものであっても、差し支えない。
【００２９】
接続モジュール２２、２２´はケースモジュール１１（図１を参照）の回路基板１１３に実装され、ネットワーク給電装置１の接続モジュール１２、１２´に相当する。接続モジュール２２、２２´は、それぞれ１つの電力変圧器２２２、２２２´と、各電力変圧器２２２、２２２´の一端及び他端にそれぞれ接続されたコンデンサ２２１、２２１´を備える。電力変圧器２２２は、給電側機器８００が出力した電力ネットワーク信号の直流電力を取得（抽出）し、この取得した直流電力を図２に記載した電力キャプチャ装置９０２に出力する。電力変圧器２２２は単巻変圧器であるが、これには限られず、鉄心とコイルによって形成されれば足りる。
【００３０】
２つのコンデンサ２２１及び２つのコンデンサ２２１´は、それぞれネットワーク受信装置９０１（図２を参照）に接続された第１の端子２２３、２２３´と、この第１の端子２２３と結合された第２の端子２２４、２２４´を備える。接続モジュール２２における２つのコンデンサ２２１の第２の端子２２４´には電力変圧器２２２の一端と他端がそれぞれ接続されている。同様に、接続モジュール２２´における２つのコンデンサ２２１´の第２の端子２２４にも電力変圧器２２２´の一端と他端がそれぞれ接続されている。コンデンサ２２１、２２１´はネットワーク信号を伝送すると共に、第１の端子２２３、２２３´と第２の端子２２４、２２４´の間の容量結合によって、ネットワーク信号の直流成分をカットする。なお、コンデンサ２２１、２２１´の容量は約１００ｎＦ±１０％が好ましいが、これには限られない。
【００３１】
本実施例において、接続モジュール２２はレシーバー回路として動作することができるので、レシーバ回路としての接続モジュール２２について説明する。接続モジュール２２は、給電側機器８００（図２）が出力する電力ネットワーク信号の直流電力を抽出し、この抽出された直流電力を図２のように電力キャプチャ装置９０２に出力する。コンデンサ２２１は第２の端子２２４を介して残りの信号を受信し、この信号の直流成分をカットしてネットワーク信号とし、第１の端子２２３を介してネットワーク信号をネットワーク受信装置９０１（図２）に出力する。
【００３２】
また、接続モジュール２２´はトランスミッター回路としても用いることができる。すなわち、図２では、ネットワーク給電装置２は受電側機器９００側に設けられ、ネットワーク給電装置１は給電側機器８００側に用いられていたが、これらネットワーク給電装置１、２はそれぞれ給電側機器８００と受電側機器９００のどちらにも対応可能である。
【００３３】
そこで、接続モジュール２２´をトランスミッター回路として用いた場合について説明する。接続モジュール２２´のコンデンサ２２１´は第１の端子２２３を介して図２のネットワーク受信装置９０１の代わりに設けられた図示しないネットワーク信号生成装置が生成したネットワーク信号を受信する。また、接続モジュール２２´は第２の端子２２４´を介して図２の給電側機器８００の代わりに設けられた図示しない受電側機器にネットワーク信号を出力することにより、給電側機器と受電側機器との間で「信号回路」が形成される。
【００３４】
接続モジュール２２´の電力変圧器２２２´は図２の電力キャプチャ装置９０２の代わりに設けられた図示しない電力供給装置から出力された直流電力をネットワーク信号と重畳して図示しない受電側機器に出力することにより、給電側機器と受電側機器との間で電力回路も形成されることとなる。
【００３５】
また、図３に示すように、給電側機器８００の接続モジュール１２が発信側、受電側機器９００の接続モジュール２２が受信側として連結されると同時に、受電側機器９００の接続モジュール２２´が発信側、給電側機器８００の接続モジュール１２´が受信側として連結される構成であっても良い。また、その際、受電側機器９００の接続モジュール２２´が発信側として動作する場合には、ネットワーク信号を受信側として動作する接続モジュール１２´にフィードバックするようにしても差し支えない。これにより、接続モジュール１２´側は、例えばネットワーク信号が受電側機器９００の接続モジュール２２´側で無事に受信されたことを認識することもできる。
【００３６】
なお、必要であればネットワーク信号に加えて、直流電力を加えて電力ネットワーク信号もフィードバックしても良い。また、フィードバックさせる場合において、電力変圧器１２２´で直流電力を抽出し、コンデンサ１２１´で直流成分をカットする点は同様なので説明を省略する。
【００３７】
本願のネットワーク給電システムを使用するときは、給電側機器８００の接続モジュール１２、１２´はネットワーク信号生成装置８０１が生成したネットワーク信号と電力供給装置８０２が生成した直流電力を結合することにより電力ネットワーク信号を生成し、受電側機器９００に出力する。受電側機器９００の接続モジュール２２、２２´は給電側機器８００から出力された電力ネットワーク信号から直流電力を取得して、直流電力を電力キャプチャ装置９０２に出力する。このため、ユーザーは受電側機器９００を実装したとき、他の電源又は電池に接続することなく使用することができる。
【００３８】
なお、受電側機器９００が必要とする電力が増加した場合には、例えば受電側機器９００が１つの無線ルータであって、無線送信出力を増加する必要がある場合、本願においては電力変圧器１２２、２２２の定格容量を高めることにより、更に大きな電力を送信して、受電側機器９００の電力需要を満たすことができる。このように、受電側機器９００が必要とする電力が増加しても対応できる。
【００３９】
また、本願はコンデンサ１２１、１２１´、２２１、２２２´により直流成分をカットするが、コンデンサ１２１、１２１´、２２１、２２１´は体積が小さく重量が軽いという利点を有するので、本願は図１の収容室１１２が狭くても差し支えなく、ケースモジュール１１の体積を縮小でき、このため、ネットワーク給電装置１、２及びネットワーク給電システム全体の体積を小さくし、重量を軽くでき、本願を利用した製品の市場における競争力が有利となることが期待できる。
【００４０】
更に、ネットワーク給電システムは電気的なショックを受けた場合には往々にして大きなサージに見舞われるため、コンデンサ１２１、２２１が損傷する恐れがある。このため、接続モジュール１２、１２´、２２、２２´毎にサージを除去するフィルタ部品を設けることにより、コンデンサ１２１、１２１´、及び２２１、２２１´がサージによって破損する恐れを低減できる。
【００４１】
このように、本願のネットワーク給電システムは、コンデンサ１２１、１２１´、及び２２１、２２１´によって直流成分をカットし、更に電力変圧器１２２、１２２´、及び２２２、２２２´を接続する設計としたので、ネットワーク給電システム全体の体積を小さくし重量を軽くでき、更にネットワークの給電機能を維持でき、受電側機器９００は体積を小さくして重量を軽くした場合でも必要とされる電力を供給することができる。したがって、近年における電子機器に対する要求である体積が小さく重量が軽いという要求に適合するので、本願を使用した製品は市場における競争力が有利となり、ケースモジュール１１の大きさを縮小できるのでケースモジュール１１を製造するときに材料費を削減でき、コスト安となる。
【００４２】
以上のように述べたものは、本考案の好ましい実施例に過ぎず、これを以って本考案の範囲を実施例に記載した範囲に限定するものではなく、およそ本考案の実用新案登録請求の範囲及び明細書に基づいてなされる簡単な作用効果が等しい構成要素の変更や追加についても、本考案の実用新案登録請求の範囲に含まれるものとする。
【符号の説明】
【００４３】
１        ネットワーク給電装置
２        ネットワーク給電装置
１１      ケースモジュール
１２      接続モジュール
１２´    接続モジュール
２２      接続モジュール
２２´    接続モジュール
１１１    シェル
１１２    収容室
１１３    回路基板
１１４    ピン
１１５    ソケット
１２１    コンデンサ
１２１´  コンデンサ
１２２    電力変圧器
１２２´  電力変圧器
１２３    第１の端子
１２４    第２の端子
２２１    コンデンサ
２２２    電力変圧器
２２２´  電力変圧器
２２３    第１の端子
２２４    第２の端子
８００    給電側機器
８０１    ネットワーク信号生成装置
８０２    電力供給装置
９００    受電側機器
９０１    ネットワーク受信装置
９０２    電力キャプチャ装置
【図１】
0003205149.tif 000003
【図２】
0003205149.tif 000004
【図３】
0003205149.tif 000005